(57)【特許請求の範囲】
【請求項１】
トイレットペーパーロールを回転自在に被挿して保持する軸棒を備えたトイレットペーパーホルダーであって、軸棒は一端部を自由端とする片持ち状態で、自由端が上になるように傾斜して配置されると共に、軸棒にトイレットペーパーロールを被挿して保持した状態で、トイレットペーパーの先端部を掴んだ手をトイレットペーパーロールの外周部に沿って周回させることができる空間が形成されるように配置されるものであり、トイレットロールから引き出したトイレットペーパーを切断する際に、トイレットペーパーロールが軸棒の周りで回転することを制動する制動手段を有すると共に、軸棒の外周の上部の表面を、トイレットペーパーロールの内周面との摩擦抵抗が軸棒の外周の他の表面より高い軸摩擦面として形成して、この軸摩擦面により上記制動手段が形成されるようにしたことを特徴とするトイレットペーパーホルダー。
【請求項２】
トイレットペーパーロールを回転自在に被挿して保持する軸棒を備えたトイレットペーパーホルダーであって、軸棒は一端部を自由端とする片持ち状態で、自由端が上になるように傾斜して配置されると共に、軸棒にトイレットペーパーロールを被挿して保持した状態で、トイレットペーパーの先端部を掴んだ手をトイレットペーパーロールの外周部に沿って周回させることができる空間が形成されるように配置されるものであり、トイレットロールから引き出したトイレットペーパーを切断する際に、トイレットペーパーロールが軸棒の周りで回転することを制動する制動手段を有すると共に、軸棒の自由端と反対側の端部に鍔を設け、鍔のトイレットペーパーロールの側面と接する表面に、外周部から内周部へと順にトイレットペーパーロールの側面との摩擦抵抗が大きくなる鍔摩擦面を形成して、この鍔摩擦面により上記制動手段が形成されるようにしたことを特徴とするトイレットペーパーホルダー。
【請求項３】
軸棒の自由端と反対側の端部に鍔を設け、鍔のトイレットペーパーロールの側面と接する表面に、外周部から内周部へと順にトイレットペーパーロールの側面との摩擦抵抗が大きくなる鍔摩擦面を形成し、この鍔摩擦面で形成される上記制動手段を備えて成ることを特徴とする請求項１に記載のトイレットペーパーホルダー。
【請求項４】
軸棒に、トイレットペーパーロールに圧接してトイレットペーパーロールの回転を制動する状態とトイレットペーパーロールから離れる状態との間で可動なストッパーを設け、このストッパーで形成される上記制動手段を備えて成ることを特徴とする請求項１乃至３のいずれかに記載のトイレットペーパーホルダー。
【請求項５】
軸棒を傾斜角度調整自在に支持すると共に調整した傾斜角度に軸棒を保持する縦調整具を備えたことを特徴とする請求項１乃至４のいずれかに記載のトイレットペーパーホルダー。
【請求項６】
軸棒を横方向の向きを調整自在に支持すると共に横方向の向きを調整した位置に軸棒を保持する横調整具を備えたことを特徴とする請求項１乃至５のいずれかに記載のトイレットペーパーホルダー。
【請求項７】
上記軸摩擦面は、軸棒の表面を粗面にすることによって形成されていることを特徴とする請求項１又は３に記載のトイレットペーパーホルダー。
【請求項８】
上記軸摩擦面は、軸棒の表面に樹脂系塗材を塗布することによって形成されていることを特徴とする請求項１又は３に記載のトイレットペーパーホルダー。
【請求項９】
断面円形に形成される軸棒の外周の上部の表面に上記の樹脂系塗材を塗布して軸摩擦面を形成するにあたって、上端ほど樹脂系塗材の塗膜の厚みを厚く形成したことを特徴とする請求項８に記載のトイレットペーパーホルダー。
【請求項１０】
トイレットペーパーロールの側面と対面する鍔の表面に中心部ほど深くなる凹み部を形成し、この凹み部の表面に上記鍔摩擦面が形成されていることを特徴とする請求項２又は３に記載のトイレットペーパーホルダー。
【請求項１１】
上記凹み部は、湾曲面状に中心部ほど深くなるように形成されていることを特徴とする請求項１０に記載のトイレットペーパーホルダー。
【請求項１２】
上記凹み部は、階段状に中心部ほど深くなるように形成されていることを特徴とする請求項１０に記載のトイレットペーパーホルダー。
【請求項１３】
上記ストッパーは、軸棒の自由端側の端面に回動自在に設けられ、ストッパーの先端部に屈曲して形成した差し込み片が軸棒の外周とトイレットペーパーロールの内周との間に差し込まれることにより、差し込み片でトイレットペーパーロールの内周を圧接するようにしたものであることを特徴とする請求項４に記載のトイレットペーパーホルダー。
【請求項１４】
上記ストッパーは、軸棒の自由端側の端面に回動自在に設けられ、ストッパーの先端部の押え片がトイレットペーパーロールの側面に圧接するようにしたものであることを特徴とする請求項４に記載のトイレットペーパーホルダー。
【請求項１５】
上記ストッパーは、軸棒にその外周面から突出自在に設けられ、ストッパーが軸棒から突出してトイレットペーパーロールの内周に圧接するようにしたものであることを特徴とする請求項４に記載のトイレットペーパーホルダー。
【発明の詳細な説明】
【技術分野】
【０００１】
本発明は、トイレットペーパーロールを保持するために使用されるトイレットペーパーホルダーに関するものであり、特に片手でトイレットペーパーを使用することができるようにしたトイレットペーパーホルダーに関するものである。
【背景技術】
【０００２】
長尺のトイレットペーパーをロール状に巻いたトイレットペーパーロールはトイレットペーパーホルダーに装着して使用されるのが一般的である。また最も一般的なトイレットペーパーホルダーは、トイレットペーパーロールの中心孔に差し込んでトイレットペーパーロールを保持する軸棒と、トイレットペーパーロールの外周に上から被さるように設けられたカバーとを備えて形成されている。
【０００３】
そしてトイレットペーパーを使用するときには、トイレットペーパーの端部を引っ張って軸棒の周りにトイレットペーパーロールを回転させながら、両手でトイレットペーパーを繰り出し、次に片手でカバーを押えてトイレットペーパーロールが回転しないように押え付けた状態で、他方の片手でトイレットペーパーを引っ張ることによって切断し、このようにトイレットペーパーロールから切り離したトイレットペーパーを両手で折り畳んで何重かに重ねて使用に供する、というのが基本である。
【０００４】
このようにトイレットペーパーロールからトイレットペーパーを繰り出して使用するには、両手で操作をすることが必要であり、片手だけの操作でトイレットペーパーを使用することは難しい。従って片麻痺など何らかの障害で片手が不自由な人にとっては、使い勝手が悪いという問題があった。
【０００５】
そこで従来から、片手の操作でトイレットペーパーロールからトイレットペーパーを引き出して使用することができるように工夫したトイレットペーパーホルダーが種々提案されている。例えば特許文献１や特許文献２に記載されたものが挙げられるが、これらはいずれも複雑な機械的構造を有するものであり、嵩張って狭いトイレ内で使用するには不便であると共に、コストも高くなって実用性に欠けるものであった。
【０００６】
一方、特許文献３で提案されているトイレットペーパーホルダーは、図９（ａ）に示すように、床板６１の上に芯棒６２を垂直に立設して逆丁字型に形成されるものであり、床板６１の上面のうち、芯棒６２より壁側の上面を滑らかな面６３に形成すると共に、反対側の上面をイボ状ゴムなどの貼付で摩擦力の強い摩擦面６４に形成してある。そしてトイレットペーパーロール１をその内周の中心孔を芯棒６２に被挿して、トイレットペーパーロール１の一方の側面を床板６１の上に載置することによって、トイレットペーパーホルダーにトイレットペーパーロール１をセットできるようにしてある。
【０００７】
このものにあって、トイレットペーパーロール１に巻かれたトイレットペーパー１ａの先端を片手で掴んで、図９（ｂ）のように斜め上方に引くと、トイレットペーパーロール１は壁と反対側が持ち上げられるように傾いて、トイレットペーパーロール１の下の側面は滑らかな面６３に接した状態で摩擦面６４から浮き上がる。このため、このままトイレットペーパー１ａを斜め上方に引っ張ることで、トイレットペーパーロール１をその側面を滑らかな面６３で滑らせながら芯棒６２の周りに回転させて、トイレットペーパー１ａをトイレットペーパーロール１から繰り出すことができる。次に、このようにトイレットペーパー１ａを繰り出した状態で図９（ｃ）のように斜め下方に引くと、トイレットペーパーロール１は壁の側が持ち上げられるように傾いて、トイレットペーパーロール１の下の側面は摩擦面６４に押し付けられるように接することになり、摩擦抵抗が大きくなってトイレットペーパーロール１は芯棒６２の周りに回転し難くなる。このため、このままトイレットペーパー１ａを斜め下方へ引っ張ることで、トイレットペーパー１ａはトイレットペーパーロール１から離脱する付近で切断される。
【先行技術文献】
【特許文献】
【０００８】
【特許文献１】特許第５０６０６６１号公報
【特許文献２】特許第４６７３４３３号公報
【特許文献３】特開２０１４-１４４７１号公報
【発明の概要】
【発明が解決しようとする課題】
【０００９】
上記のように、図９のトイレットペーパーホルダーは、片手でトイレットペーパー１ａをトイレットペーパーロール１から引き出して切断できるようにすることで、片手の操作でトイレットペーパー１ａを使用することを可能にしたものであり、しかも構造が簡単で小型に形成することができると共に、コスト安価に製作することができるものである。
【００１０】
しかし図９のものでは、トイレットペーパー１ａをトイレットペーパーロール１から引き出すときには斜め上方へ引っ張り、またトイレットペーパー１ａを切断するときには斜め下方へ引っ張るというように、トイレットペーパー１ａの引っ張り方向を上や下に変えながら操作する必要があり、またスムーズにトイレットペーパー１ａを引き出したり、確実にトイレットペーパー１ａを切断したりするためには、斜め上方への引っ張り角度や斜め下方への引っ張り角度を調整するなどが必要であり、使いこなすにはそれなりに習熟が必要であって、子供や高齢者などには使い勝手が悪いという問題があった。
【００１１】
また上記のように、片手でトイレットペーパー１ａの一端を掴んだ状態で、トイレットペーパーロール１から引き出して切断することはできるものの、片手ではトイレットペーパー１ａを折り畳むことができないので、トイレットペーパー１ａを折り畳まないそのままの状態で使用せざるを得ないものであり、トイレットペーパー１ａを折り畳んで何重かに重ねた状態で使用することはできないものであった。
【００１２】
本発明は上記の点に鑑みてなされたものであり、特に習熟するような必要なく片手の操作で容易にトイレットペーパーをトイレットペーパーロールから引き出して切断することができると共に、トイレットペーパーを何重かに重ねた状態で使用することができるトイレットペーパーホルダーを提供することを目的とするものである。
【課題を解決するための手段】
【００１３】
本発明に係るトイレットペーパーホルダーは、トイレットペーパーロール１を回転自在に被挿して保持する軸棒２を備えて形成されるものであって、軸棒２は一端部を自由端とする片持ち状態で、自由端が上になるように傾斜して配置されると共に、軸棒２にトイレットペーパーロール１を被挿して保持した状態で、トイレットペーパー１ａの先端部を掴んだ手をトイレットペーパーロール１の外周部に沿って周回させることができる空間が形成されるように配置されるものであり、トイレットロール１から引き出したトイレットペーパー１ａを切断する際に、トイレットペーパーロール１が軸棒２の周りで回転することを制動する制動手段３を有することを特徴とするものである。
【００１４】
一端部が自由端として形成される軸棒２にトイレットペーパーロール１の内周を被挿することによって、片手の操作でトイレットペーパーロール１をトイレットペーパーホルダーに簡単にセットすることができると共に、自由端が上になるように傾斜して配置される軸棒２からトイレットペーパーロール１は簡単に抜け落ちるようなことはないものである。そして、トイレットペーパー１ａの先端部を片手で掴んだ状態で、トイレットペーパー１ａがトイレットペーパーロール１に巻き付けられた方向と同方向にこの手をトイレットペーパーロール１の外周部の空間に沿って周回させると、トイレットペーパーロール１を軸棒２の周りに回転させながらトイレットペーパー１ａがトイレットペーパーロール１から引き出されると同時に、手の周りにトイレットペーパー１ａが巻き付けられるものであり、次いで制動手段３でトイレットペーパーロール１の回転を制動した状態でトイレットペーパー１ａを引っ張ることによって、トイレットペーパー１ａを切断してトイレットペーパーロール１から切り離すことができ、手に巻き付けることで何重かに重ねた状態でトイレットペーパー１ａを使用に供することができるものである。
【００１５】
そして本発明は、軸棒２の外周の上部の表面を、トイレットペーパーロール１の内周面との摩擦抵抗が軸棒２の外周の他の表面より高い軸摩擦面４として形成し、この軸摩擦面４により上記制動手段３が形成されるようにしたことを特徴するものである。
【００１６】
上記のようにトイレットペーパー１ａの先端部を片手で掴んでトイレットペーパーロール１の外周部に沿って周回させることにより、手にトイレットペーパー１ａを巻き付けた状態で、トイレットペーパー１ａを強く下方へ引くと、トイレットペーパーロール１の内周の上部は軸棒２の外周上部の軸摩擦面４に強く接することになって、軸摩擦面４とトイレットペーパーロール１の内周面との間に摩擦力が大きく発生し、軸棒２の回りをトイレットペーパーロール１が回転する運動に対してこの摩擦力が制動力として作用するものであり、トイレットペーパー１ａを強く下方へ引くこの操作で、回転が制動されているトイレットペーパーロール１からトイレットペーパー１ａを切断することができるものである。また軸棒２の外周は上部を除いて摩擦抵抗を大きく形成する必要がないので、手にトイレットペーパー１ａを巻き付けるためにトイレットペーパー１ａの先端部を掴んだ手をトイレットペーパーロール１の外周部に沿って周回させる際には、トイレットペーパーロール１は軸棒２の周りをスムーズに回転するものであり、手にトイレットペーパー１ａを巻き付ける操作に軸摩擦面４が影響を与えることはないものである。
【００１７】
また本発明は、軸棒２の自由端と反対側の端部に鍔５を設け、鍔５のトイレットペーパーロール１の側面と接する表面に、外周部から内周部へと順にトイレットペーパーロール１の側面との摩擦抵抗が大きくなる鍔摩擦面６を形成し、この鍔摩擦面６により上記制動手段３が形成されるようにしたことを特徴とするものである。
【００１８】
上記のようにトイレットペーパー１ａの先端部を片手で掴んでトイレットペーパーロール１の外周部に沿って周回させることにより、手にトイレットペーパー１ａを巻き付けた状態で、トイレットペーパー１ａを強く下方へ引くと、トイレットペーパーロール１は傾斜している軸棒２のこの傾斜によって鍔５の表面に押し付けられ、トイレットペーパーロール１の側面が鍔摩擦面６に強く接することになって、鍔摩擦面６とトイレットペーパーロール１の側面との間に摩擦力が大きく発生し、軸棒２の回りをトイレットペーパーロール１が回転する運動に対してこの摩擦力が制動力として作用するものであり、トイレットペーパー１ａを強く下方へ引くこの操作で、回転が制動されているトイレットペーパーロール１からトイレットペーパー１ａを切断することができるものである。また、トイレットペーパーロール１の使い始めで径が大きい間は、トイレットペーパーロール１の質量も大きいために慣性モーメントが大きく、トイレットペーパーロール１からトイレットペーパー１ａを切り離すために必要な制動力を得るための摩擦力は少なくて済むが、トイレットペーパーロール１の径が小さくなると、トイレットペーパーロール１の質量も小さくなるために慣性モーメントが小さくなり、トイレットペーパーロール１からトイレットペーパー１ａを切り離すために必要な制動力を得るための摩擦力が大きく必要になるが、鍔摩擦面６は外周部から内周部へと順に摩擦抵抗が大きくなるように形成されているため、トイレットペーパー１ａの使用が進んでトイレットペーパーロール１の径が小さくなっても鍔摩擦面６との摩擦力を高く得ることができるものであり、トイレットペーパーロール１の使い始めから使い終わりに至るまで、トイレットペーパーロール１からトイレットペーパー１ａを切り離すために必要な制動力が作用するものである。
【００１９】
また本発明は、軸棒２に、トイレットペーパーロール１に圧接してトイレットペーパーロール１の回転を制動する状態とトイレットペーパーロール１から離れる状態との間で可動なストッパー７を設け、このストッパー７により上記制動手段３が形成されるようにしたことを特徴するものである。
【００２０】
上記のようにトイレットペーパー１ａの先端部を片手で掴んでトイレットペーパーロール１の外周部に沿って周回させることにより、手にトイレットペーパー１ａを巻き付けた状態で、この片手でストッパー７を操作し、トイレットペーパーロール１の回転を制動することにより、回転が制動されたトイレットペーパーロール１からトイレットペーパー１ａを切断することができるものであり、上記のようにトイレットペーパー１ａを切断するために強く引っ張るような必要がなく、子供や高齢者などであってもトイレットペーパー１ａの切断操作を容易に行うことができるものである。
【００２１】
また本発明は、軸棒２を傾斜角度調整自在に支持すると共に調整した傾斜角度に軸棒２を保持する縦調整具８を備えたことを特徴とするものである。
【００２２】
縦調整具８で軸棒２の傾斜角度を調整することによって、使用者の座高などに応じて、トイレットペーパーロール１からトイレットペーパー１ａを引き出して切断し易い位置にトイレットペーパーロール１を配置することができるものである。
【００２３】
また本発明は、軸棒２を横方向の向きを調整自在に支持すると共に横方向の向きを調整した位置に軸棒２を保持する横調整具９を備えたことを特徴とするものである。
【００２４】
横調整具９で軸棒２の横方向での向きを調整することによって、右手を使う場合あるいは左手を使う場合などに応じて、トイレットペーパーロール１からトイレットペーパー１ａを引き出して切断し易い位置にトイレットペーパーロール１を配置することができるものである。
【００２５】
また本発明において、上記軸摩擦面４は、軸棒２の表面を粗面にすることによって形成されていることを特徴とするものである。
【００２６】
この発明にあっては、軸棒２の表面加工によって容易に軸摩擦面４を形成することができるものである。
【００２７】
また本発明において、上記軸摩擦面４は、軸棒２の表面に樹脂系塗材１０を塗布することによって形成されていることを特徴とするものである。
【００２８】
この発明にあっては、樹脂系塗材１０の種類の選択によって、軸摩擦面４を必要とする摩擦抵抗に容易に形成することができるものである。
【００２９】
また本発明は、断面円形に形成される軸棒２の外周の上部の表面に上記の樹脂系塗材１０を塗布して軸摩擦面４を形成するにあたって、上端ほど樹脂系塗材１０の塗膜の厚みを厚く形成したことを特徴とするものである。
【００３０】
このように樹脂系塗材１０の塗膜の厚みを上端ほど厚くすると、樹脂系塗材１０で形成される軸摩擦面４の外周面は、その上端を挟む左右の各面の曲率半径が軸棒２の半径よりも大きく形成されることになるものであり、トイレットペーパーロール１の内周の半径は軸棒２の半径よりも大きいものであるところ、軸摩擦面４の外周面の曲率半径はトイレットペーパーロール１の内周の半径に近くなり、軸摩擦面４の外周に対するトイレットペーパーロール１の内周の接触面積が増加することになり、軸摩擦面４とトイレットペーパーロール１の内周面との間の摩擦力を高く得ることができるものである。
【００３１】
また本発明において、トイレットペーパーロール１の側面と対面する上記の鍔５の表面に中心部ほど深くなる凹み部１１を形成し、この凹み部１１の表面に上記鍔摩擦面６が形成されていることを特徴するものである。
【００３２】
凹み部１１は深くなる中心部ほど摩擦抵抗が大きくなるように形成されることになるところ、トイレットペーパーロール１の径が小さくなるにつれて、トイレットペーパーロール１は凹み部１１に深く入り込んでその側面の外周部は摩擦抵抗が大きい面に当接することになるものであり、トイレットペーパー１ａの使用が進んでトイレットペーパーロール１の径が小さくなるにつれて鍔摩擦面６との摩擦力を高めることができ、トイレットペーパーロール１の径が小さくなって質量が小さくなっても、トイレットペーパーロール１からトイレットペーパー１ａを切り離すために必要な制動力を得ることができるものである。
【００３３】
また本発明において、上記凹み部１１は、湾曲面状に中心部ほど深くなるように形成されていることを特徴するものである。
【００３４】
凹み部１１が湾曲面状であることによって、トイレットペーパーロール１は径が変化しても常に側面の外周部が凹み部１１の表面の鍔摩擦面６に接するものであり、鍔摩擦面６との摩擦力が安定して働き、安定した制動力を得ることができるものである。
【００３５】
また本発明において、上記凹み部１１は、階段状に中心部ほど深くなるように形成されていることを特徴するものである。
【００３６】
凹み部１１が階段状であることによって、トイレットペーパーロール１は径が小さくなると凹み部１１の深い段にはまり込んで、深い段の鍔摩擦面６にトイレットペーパーロール１の外周部の側面が面で接するものであり、鍔摩擦面６との摩擦力が安定して働き、安定した制動力を得ることができるものである。
【００３７】
また本発明において、上記ストッパー７は、軸棒２の自由端側の端面に回動自在に設けられ、ストッパー７の先端部に屈曲して形成した差し込み片１２が軸棒２の外周とトイレットペーパーロール１の内周との間に差し込まれることにより、差し込み片１２でトイレットペーパーロール１の内周を圧接するようにしたものであることを特徴とするものである。
【００３８】
ストッパー７を操作して差し込み片１２を軸棒２とトイレットペーパーロール１の間に差し込むことによって、トイレットペーパーロール１が回転しないように制動することができ、トイレットペーパーロール１が回転しない状態でトイレットペーパー１ａを容易に切断することができるものである。
【００３９】
また本発明において、上記ストッパー７は、軸棒２の自由端側の端面に回動自在に設けられ、ストッパー７の端部の押え片１３がトイレットペーパーロール１の側面に圧接するようにしたものであることを特徴とするものである。
【００４０】
ストッパー７を操作して押え片１３でトイレットペーパーロール１の側面を圧接させることによって、トイレットペーパーロール１が回転しないように制動することができ、トイレットペーパーロール１が回転しない状態でトイレットペーパー１ａを容易に切断することができるものである。
【００４１】
また本発明において、上記ストッパー７は、軸棒２にその外周面から突出自在に設けられ、ストッパー７が軸棒２から突出してトイレットペーパーロール１の内周に圧接するようにしたものであることを特徴とするものである。
【００４２】
ストッパー７を操作して軸棒２から突出させてトイレットペーパーロール１の内周に圧接させることによって、トイレットペーパーロール１が回転しないように制動することができ、トイレットペーパーロール１が回転しない状態でトイレットペーパー１ａを容易に切断することができるものである。
【発明の効果】
【００４３】
本発明によれば、トイレットペーパーホルダーの軸棒２は一端部を自由端とする片持ち状態で、自由端が上になるように傾斜して配置されるので、軸棒２にトイレットペーパーロール１の内周を被挿することによって、片手の操作でトイレットペーパーロール１をトイレットペーパーホルダーに簡単にセットすることができると共に、軸棒２からトイレットペーパーロール１は簡単に抜け落ちるようなことはないものである。そして、トイレットペーパー１ａの先端部を片手で掴んだ状態で、トイレットペーパー１ａがトイレットペーパーロール１に巻き付けられた方向と同方向にこの手をトイレットペーパーロール１の外周部の空間に沿って周回させると、トイレットペーパーロール１を軸棒２の周りに回転させながらトイレットペーパー１ａをトイレットペーパーロール１から引き出すことができると同時に、手の周りにトイレットペーパー１ａが巻き付けられることになり、次いで制動手段３でトイレットペーパーロール１の回転を制動した状態でトイレットペーパー１ａを引っ張ることによって、トイレットペーパー１ａを切断してトイレットペーパーロール１から切り離すことができるものである。従ってトイレットペーパー１ａの先端部を掴んだ片手をトイレットペーパーロール１の回りを周回させて引っ張るというだけの簡単な操作で、特に習熟するような必要もなくトイレットペーパー１ａをトイレットペーパーロール１から引き出して切断することができると共に、手に巻き付けることで何重かに重ねた状態でトイレットペーパー１ａを使用に供することができるものである。
【図面の簡単な説明】
【００４４】
【図１】本発明の実施の形態の一例を示すものであり、（ａ）は斜視図、（ｂ）は断面図である。
【図２】トイレットペーパーロールからトイレットペーパーを引き出す操作を示す概略斜視図である。
【図３】本発明の実施の形態の一例を示すものであり、（ａ）（ｂ）（ｃ）はそれぞれ軸棒の断面図である。
【図４】本発明の実施の形態の一例を示すものであり、（ａ）は正面図、（ｂ）は側面図、（ｃ）は断面図、（ｄ）は拡大した断面図である。
【図５】本発明の実施の形態の一例を示すものであり、（ａ）は側面図、（ｂ）は断面図、（ｃ）は拡大した断面図である。
【図６】本発明の実施の形態の一例を示すものであり、（ａ）（ｂ）はそれぞれ断面図である。
【図７】本発明の実施の形態の一例を示すものであり、（ａ）（ｂ）はそれぞれ断面図である。
【図８】本発明の実施の形態の一例を示す断面図である。
【図９】従来例を示すものであり、（ａ）は斜視図、（ｂ）（ｃ）は拡大した正面図である。
【発明を実施するための形態】
【００４５】
以下、本発明の実施の形態を説明する。
【００４６】
図１は本発明の実施の形態の一例を示すものである。２は円柱形に形成される軸棒であり、円板形に形成される鍔５の片面の中央に軸棒２の一端が垂直に固定してある。本発明に係るトイレットペーパーホルダーはこの軸棒２と鍔５によって基本的な構成が形成されるものであり、軸棒２は一方の端部を自由端とする片持ち状態で鍔５によって保持されるものである。軸棒２や鍔５の材質は、木材、金属、樹脂など任意である。
【００４７】
軸棒２の直径はトイレットペーパーロール１の内径より小さく形成されるのはいうまでもないが、鍔５の直径は新品のトイレットペーパーロール１の外径と同じか若しくは小さく、且つトイレットペーパーロール１の内径よりも大きく形成されるものである。市販されているトイレットペーパーロール１にはＪＩＳ規格に適合したもの、ＪＩＳ規格外品、内周に型紙の筒を設けたもの、このような筒を設けていないものなど種々あるので、一概にいうことはできないが、軸棒２の直径はトイレットペーパーロール１の内径の９０〜６０％程度に、鍔５の外径はトイレットペーパーロール１の外径の１００〜６０％程度に形成するのが好ましい。
【００４８】
図１の実施の形態では、軸棒２と鍔５を、縦調整具８と横調整具９を介して基体１７に取り付けることによって、トイレットペーパーホルダーを形成するようにしてある。基体１７はトイレの壁やドアなどに取り付けられる固定片１８と、固定片１８の下端に水平に設けられる受け片１９とで断面Ｌ字形に形成されるものであり、固定片１８にはビスや釘などの固着具を通すための取付孔２０が穿設してある。
【００４９】
横調整具９は受け片１９の上面に配置されるものであり、受け片１９の上面に立設固定した横回動軸２１に水平回動自在に取り付けてある。円板状に形成される横調整具９の固定片１８側の後部には、横回動軸２１を中心とする円の軌跡上に沿った複数個所に所定間隔で横回動調整孔２２が上下に貫通して形成してある。受け片１９の上面の一か所には固定穴２３が凹設してあり、選択した一つの横回動調整孔２２に上から固定ピン２４を挿入して、固定ピン２４の下端を固定穴２３に差し込むことによって、横調整具９が回動しないように固定することができる。
【００５０】
また円板状の横調整具９の上面の回転中心部に一対の縦回動受け板２５が平行に対面して立設してあり、縦回動杆２６を縦回動受け板２５間に配置すると共に縦回動杆２６の一端部を縦回動受け板２５間に設けた縦回動軸２７に上下方向に回動自在に取り付けてある。各回動受け板２５の前部には縦回動軸２７を中心とする円の軌跡上に沿って所定間隔で縦回動調整孔２８が穿設してあり、また縦回動杆２６の一か所に固定孔２９が穿設してあり、一方の回動受け板２５の縦回動調整孔２８に差し込んだ固定ピン３０を縦回動杆２６の固定孔２９に通してさらに他方の回動受け板２５の縦回動調整孔２８に差し込むことによって、縦回動杆２６が回動しないように固定することができる。この縦回動受け板２５と縦回動杆２６によって縦調整具８が形成されるものであり、縦回動杆２６の縦回動受け板２５間から突出する先端部に鍔５の背面の中央部が固定してあり、鍔５と軸棒２は縦回動杆２６によって支持されるものである。
【００５１】
図１の実施の形態では、軸棒２に制動手段３を設けるようにしてある。すなわち、軸棒２の外周面のうち、上部の外周面に他の表面よりも摩擦抵抗が高い軸摩擦面４を形成し、この軸摩擦面４で制動手段３が形成されるようにしてある。軸棒２の外周の上部に軸摩擦面４を形成する範囲は、特に限定されるものではないが、軸棒２の外周の上端を中心として、外周の２５〜７５％程度の範囲が好ましく、４０〜６０％程度の範囲が特に好ましい。
【００５２】
そして軸摩擦面４は、例えば軸棒２の表面を荒らすなどして粗面にすることによって、軸棒２の素地の表面よりも摩擦抵抗を高くすることにより、形成することができる。また、軸棒２の表面に樹脂系塗材１０を塗布することによっても、軸棒２の表面よりも摩擦抵抗が高い軸摩擦面４を形成することができる。摩擦抵抗が高い軸摩擦面４を形成するのに適した樹脂系塗材１０としては、ウレタン樹脂塗布剤、シリコン樹脂塗布剤、ゴムラテックス塗布剤などを使用することができる。軸棒２の表面を粗面にして軸摩擦面４を形成する場合、高い摩擦抵抗を得るようにすることは難しいが、樹脂系塗材１０はこのような粗面よりも高い摩擦抵抗を有する軸摩擦面４を形成することが可能である。また樹脂系塗材１０の種類を選択することによって、必要とされる摩擦抵抗を有する軸摩擦面４を形成することができるものである。
【００５３】
上記のように形成される本発明のトイレットペーパーホルダーは、軸棒２を自由端が上になるように傾斜させ、さらに軸棒２の周囲に障害物のない空間が確保されるようにして、トイレ内などに取り付けて使用されるものである。軸棒２の傾斜角度は任意に設定することができるが、水平に対する仰角で１５〜７５°の範囲に傾斜させるのが一般的であり、特に３０〜６０°の範囲の傾斜角度であることが望ましい。また本発明においては、軸棒２にトイレットペーパーロール１をセットした状態で、トイレットペーパーロール１の周りで手を周回させることができるようにすることが必要であるので、軸棒２の周囲に軸棒２を中心として半径１５ｃｍ以上の範囲で障害物のない空間が形成されるようにすることが必要であり、軸棒２の周りにこのような空間が形成されるように、トイレットペーパーホルダーを配置することが望ましい。
【００５４】
ここで、本発明のトイレットペーパーホルダーの軸棒２は一端部が自由端であるため、軸棒２に自由端側からトイレットペーパーロール１の中心部に形成されている中心孔を被挿することによって、片手の操作でトイレットペーパーロール１をトイレットペーパーホルダーに簡単にセットすることができるものである。しかも軸棒２は自由端が上になるように傾斜しているため、軸棒２からトイレットペーパーロール１が簡単に抜け落ちるようなこともないものである。
【００５５】
次に、用便などの後に、トイレットペーパーロール１からトイレットペーパー１ａを引き出して使用する方法について説明する。トイレットペーパーロール１に巻回されたトイレットペーパー１ａの先端部は、トイレットペーパーロール１が未使用の他は、トイレットペーパーロール１から垂れ下がった状態にあるので、図２のａに示すようにトイレットペーパー１ａのこの先端部を片手で掴む。使える片手が右手であれば、トイレットペーパーロール１の側面を正面に見て右側からトイレットペーパー１ａが垂れ下がる状態になるように軸棒１にトイレットペーパーロール１をセットしておく。逆に使える片手が左手であれば、トイレットペーパーロール１の側面を正面に見て左手側からトイレットペーパー１ａが垂れ下がる状態になるように軸棒１にトイレットペーパーロール１をセットし直す。
【００５６】
そして図２のａのようにトイレットペーパー１ａの先端部を掴んだ片手を、トイレットペーパー１ａがトイレットペーパーロール１に巻き付けられている方向と同方向に、図２のｂ→ｃ→ｄ→ｅのようにトイレットペーパーロール１の外周に沿って周回させる。すると、トイレットペーパーロール１が軸棒２の周りに回転してトイレットペーパー１ａがトイレットペーパーロール１から引き出されると共に、この引き出されたトイレットペーパー１ａは手の周りに巻き付けられる。トイレットペーパーロール１の外周を一周させると手には１回トイレットペーパー１ａが巻き付けられることなるので、トイレットペーパーロール１の外周を２〜４周させると手には２〜４回トイレットペーパー１ａが巻き付けられ、手のひらの側にはトイレットペーパー１ａが２〜４重に重ねられた状態になる。
【００５７】
次にこのようにトイレットペーパー１ａを巻き付けた手を鉛直下方へ素早く強く引き下ろす。トイレットペーパーロール１は軸棒２の外周を回転自在になっているが、軸棒２の外周面の上部はトイレットペーパーロール１の内周面との摩擦抵抗が高い軸摩擦面４であるので、手を下方へ強く素早く引き下ろすことによって、トイレットペーパーロール１の内周面の上部は軸摩擦面４に強く押し当てられることになり、トイレットペーパーロール１の内周面と軸摩擦面４との間に摩擦力が強く働き、トイレットペーパーロール１の内周面が軸摩擦面４に対して滑り難くなることで軸棒２の周りをトイレットペーパーロール１が回転する運動に対する制動力が作用する。このようにトイレットペーパーロール１が軸棒２の周りを回転することが制動された状態で、トイレットペーパー１ａに下方へ引っ張る力が働くので、回転が制動されたトイレットペーパーロール１からトイレットペーパー１ａが切断され、トイレットペーパーロール１からトイレットペーパー１ａを切り離すことができる。トイレットペーパー１ａにミシン目が入っている場合には、このミシン目で容易に切断される。
【００５８】
ここで、上記のように手にトイレットペーパー１ａを巻き付けるために手をトイレットペーパーロール１の外周に沿って周回させるときには、手を強く引き下ろすようなことはないので、しかも周回させるときの手の動きは横方向あるいは上方向が多いので、トイレットペーパーロール１の内周面が軸摩擦面４に強く押し当てられることはなく、トイレットペーパーロール１が軸棒２の周りを回転することに対して制動力が作用するようなことはないものであり、トイレットペーパーロール１は軸棒２の周りをスムーズに回転するものである。
【００５９】
上記のようにトイレットペーパー１ａを切断してトイレットペーパーロール１から切り離すと、手に巻き付けたトイレットペーパー１ａは手のひらの側に何重かに重ねられているので、何重かに重ねた状態のトイレットペーパー１ａをそのまま、用便後などの使用に供することができるものである。ここで、このように手にトイレットペーパー１ａを巻き付けたまま使用する他に、手に巻き付けたトイレットペーパー１ａを膝の上などに置いて、手をトイレットペーパー１ａから引き抜くと、膝の上に残ったトイレットペーパー１ａは、手のひらと手の甲に重ねられた枚数の合計の枚数で重ねられた状態になる。従ってトイレットペーパー１ａから引き抜いた手でこのトイレットペーパー１ａを持って使用に供すると、トイレットペーパー１ａが多く重ねられた状態で使用することができるものであり、便などがトイレットペーパー１ａを浸透して手に達することが少なくなって、用便後の処理を衛生的に行うことができるものである。
【００６０】
以上のように、トイレットペーパー１ａの先端部を掴んだ片手をトイレットペーパーロール１の周りに沿って周回させ、次いで下方へ引っ張るというだけの簡単な操作で、トイレットペーパー１ａをトイレットペーパーロール１から引き出して切断することができるものであり、しかも手に巻き付けることで何重かに重ねた状態にすることができ、厚く重ねたトイレットペーパー１ａを使用に供することができるものである。従って本発明のトイレットペーパーホルダーを用いることによって、特に習熟するような必要なく、子供や老人などであっても、片手の操作だけで容易にトイレットペーパー１ａをトイレットペーパーロール１から引き出して切断することができると共に、トイレットペーパー１ａを何重かに重ねた状態で衛生的に使用することができるものである。
【００６１】
ここで軸棒２は、縦調整具８によって縦の傾斜角度を、また横調整具９によって横方向の向きを、それぞれ調整できるようになっている。すなわち、固定ピン３０を抜くと縦調整具８の縦回動杆２６を縦回動軸２７を中心に図１（ａ）のａ矢印のように上下に回動させることができるので、この上下回動によって軸棒２の傾斜角度を調整することができるものであり、使用する人の座高などに合わせて使い易い傾斜角度に調整することができるものである。そして調整した傾斜角度の位置で、固定ピン３０を一方の回動受け板２５の縦回動調整孔２８に差し込むと共に、縦回動杆２６の固定孔２９に通してさらに他方の回動受け板２５の縦回動調整孔２８に差し込むことによって、縦回動杆２６が回動しないように固定することができ、軸棒２を調整した傾斜角度に固定することができるものである。
【００６２】
また、固定ピン２４を抜くと横調整具９を横回動軸２１を中心に図１（ａ）のｂ矢印のように水平方向に回動させることができるので、この水平回動によって軸棒２の横方向への向きを調整することができるものであり、使用する人が右手で使うか左手を使うかなどに合わせて使い易い向きになるように調整することができるものである。そして軸棒２の向きを調整した位置で、固定ピン２４を横回動調整孔２２に挿入して、固定ピン２４の下端を固定穴２３に差し込むことによって、横調整具９が回動しないように固定することができ、軸棒２を調整した向きに固定することができるものである。
【００６３】
尚、図１の実施の形態では、縦調整具８と横調整具９を併用して、軸棒２を傾斜角度と横方向の向きのいずれも調整できるようにしたが、縦調整具８と横調整具９のいずれか一方だけを具備して、軸棒２を傾斜角度と横方向の向きのいずれか一方だけ調整できるようにしてもよい。また軸棒２の傾斜角度を調整する手段や、軸棒２の横方向の向きを調整する手段としては、図１に示すものに限定されないものであり、さらに軸棒２の傾斜角度と横方向の向きの両方の調整を同時に一つの手段で行うようにすることも可能である。例えばボールジョイントの機構を用いることによって、軸棒２を上下左右あらゆる方向に回動させることができるものであり、またフレキシブルチューブを用いることによって、軸棒２を上下左右あらゆる方向の向きにさせることができるものであり、軸棒２の傾斜角度と横方向の向きの両方の調整を同時に一つの手段で行うことができるものである。
【００６４】
さらに、図１の実施の形態では、鍔５の背面を縦回動杆２６で支持するようにしたが、鍔５を支持する態様はこれに限定されるものではない。例えば鍔５の背面の中央部にねじ穴を設けておくことによって、このねじ穴を利用して各種の態様で鍔５を支持することが可能になるものである。
【００６５】
図３は、軸棒２の軸摩擦面４を樹脂系塗材１０の塗布で形成するようにした実施の形態の一例を示すものであり、このものでは軸棒２の外周の上部の表面に樹脂系塗材１０を塗布するにあたって、上端ほど樹脂系塗材１０の塗膜の厚みが厚くなるように塗布することによって、軸摩擦面４を形成するようにしてある。断面円形に形成される軸棒２の上部に塗布する樹脂系塗材１０の塗膜の厚みを上端ほど厚くすると、樹脂系塗材１０で形成される軸摩擦面４の外周面は、その上端を挟む左右の各面において半径（曲率半径）ｒ１が軸棒２の半径ｒ２よりも大きくなる。
【００６６】
ここで、トイレットペーパーロール１の内周の半径は軸棒２の半径よりも大きいものであるが、トイレットペーパーロール１の内周の半径と軸棒２の半径が大きく異なると、トイレットペーパーロール１の内周面と軸棒２の外周面とは線接触に近くなって接触面積が小さなものになる。これに対して、上記のように樹脂系塗材１０で形成される軸摩擦面４の外周面の半径が大きく形成されていると、トイレットペーパーロール１の内周の半径に近付くため、トイレットペーパーロール１の内周面と軸摩擦面４の外周面との接触面積が広くなる。しかもトイレットペーパー１ａをトイレットペーパーロール１から切り離すためにトイレットペーパー１ａを図３（ｂ）の矢印のように下方へ引くと、トイレットペーパーロール１は軸棒２に対して引かれる方向に傾くので、図３（ｂ）に示すように、軸摩擦面４の上端を挟む一方の面にトイレットペーパーロール１の内周面が接することになり（図３（ｂ）において鎖線はトイレットペーパーロール１の内周を示す）、トイレットペーパーロール１の内周面が軸摩擦面４の外周面に広い面積で接触することになる。従って、トイレットペーパーロール１と軸摩擦面４との間の摩擦力を高く得ることができるので、トイレットペーパーロール１が回転することを制動する力が強く作用し、トイレットペーパー１ａの切断がより確実になるものである。樹脂系塗材１０の塗膜の厚みは、樹脂系塗材１０で形成される軸摩擦面４の上端を挟む左右の各面において半径（曲率半径）がトイレットペーパーロール１の内周面の半径とほぼ等しくなるように、調整するのが望ましい。
【００６７】
図３（ｃ）は、軸棒２に樹脂系塗材１０を塗布して軸摩擦面４を形成するにあたって、軸棒２の外周の上端に軸方向沿って紐や細い棒などの直線状の線材３２を載置し、この状態で軸棒２の外周面の上部に樹脂系塗材１０を塗布するようにしたものである。このものでは、線材３２がスペーサーとなって、軸棒２の上部ほど膜厚が厚くなるように樹脂系塗材１０を塗布する作業が容易になるものであり、また樹脂系塗材１０の膜内に埋め込まれる線材３２の位置で、軸棒２の上下の向きを知ることができ、軸棒２の取り付けの際に上下の向きを間違えるようなことがなくなるものである。
【００６８】
上記の各実施の形態では、軸摩擦面４を軸棒２の表面を粗面にしたり、軸棒２の表面に樹脂系塗材１０を塗布したりして形成したが、これらに限定されるものではなく、例えば軸棒２の地の面よりも摩擦抵抗が高いシート材を軸棒２の表面に貼り付けて軸摩擦面４を形成するようにしてもよい。
【００６９】
また上記の実施の形態では、トイレットペーパーロール１が軸棒２の周りで回転することを制動する制動手段３を、軸棒２の外周に設けた軸摩擦面４で形成するようにしたが、鍔５に制動手段３を設けることもできる。図４はその一例を示すものであり、鍔５の軸棒２を設けた側の面に、外周部から軸棒２を設けた内周部へと順にトイレットペーパーロール１の側面との摩擦抵抗が大きくなる鍔摩擦面６を形成し、この鍔摩擦面６によって制動手段３が形成されるようにしてある。
【００７０】
鍔摩擦面６は、例えば鍔５の表面を荒らすなどして粗面にすることによって、鍔５の地の面よりも摩擦抵抗を高くすることによって形成することができるものであり、粗面の粗度を外周側から内周側へと順に高くなるよう変化させることによって、外周部から内周部へと順に摩擦抵抗が大きくなる鍔摩擦面６を形成することができる。また軸棒２の表面に、軸摩擦面４の形成に用いた樹脂系塗材を塗布することによっても鍔摩擦面６を形成することができるものであり、この場合、摩擦抵抗の異なる複数種の樹脂系塗材を用い、外周側から内周側へと順に、摩擦抵抗が高い樹脂系塗材を塗布することによって、外周部から内周部へと順に摩擦抵抗が大きくなる鍔摩擦面６を形成することができる。さらに、鍔５の地の面よりも摩擦抵抗が高いシート材を鍔５の表面に貼り付けて鍔摩擦面６を形成することもできる。この場合、摩擦抵抗の異なる複数種のシート材を用い、外周側から内周側へと順に、摩擦抵抗が高いシート材を貼り付けることによって、外周部から内周部へと順に摩擦抵抗が大きくなる鍔摩擦面６を形成することができる。
【００７１】
図４の実施の形態では、鍔５の表面に中心部ほど深くなる凹み部１１を形成し、この凹み部１１の表面に鍔摩擦面６を形成するようにしてある。軸棒２は凹み部１１の中央の最も深い部分に取り付けられるものであり、また凹み部１１は鍔５の外周端部を残して、その内側の範囲に形成されるものである。従って、鍔５の外周端部の表面には鍔摩擦面６は形成されず、凹み部１１の表面にのみ鍔摩擦面６が形成されるものであり、鍔摩擦面６は外周部から内周部へと同心円で図４（ｂ）に示す６ａ，６ｂ，６ｃの順に摩擦抵抗が大きくなるように形成してある。また図４の実施の形態では、凹み部１１は凹湾曲する湾曲面に形成してあり、凹み部１１は外周側から内周側へと連続的に深くなるようにしてある。
【００７２】
鍔５の外径は未使用状態のトイレットペーパーロール１の外径と同じか若しくは小さいので、トイレットペーパーロール１を使用し始める段階では、図４（ｄ）にＫで示すように、トイレットペーパーロール１の側面は凹み部１１より外側の鍔５の表面に接している。凹み部１１より外側には鍔摩擦面６が形成されていないので、トイレットペーパーロール１と鍔５の表面との摩擦抵抗は小さいが、使い始めで径が大きいときはトイレットペーパーロール１は質量も大きいために慣性モーメントが大きく働くので、トイレットペーパーロール１からトイレットペーパー１ａを切り離すために必要な制動力を得るための摩擦力は少なくてよく、制動手段３として鍔５の鍔摩擦面６の他に、上記の軸棒２の軸摩擦面４を併用しているときには、軸棒２の軸摩擦面４による制動力だけで十分である。むしろトイレットペーパーロール１の径が大きいときは、トイレットペーパー１ａの先端部を掴んだ手をトイレットペーパーロール１の外周に沿って周回させ、手の周りにトイレットペーパーロール１ａを巻き付ける際、軸棒２の周りにトイレットペーパーロール１をスムーズに回転させるために、鍔５からトイレットペーパーロール１に制動力があまり作用しないほうがよく、このためにも凹み部１１より外側の鍔５の表面の摩擦抵抗は小さいほうが望ましい。
【００７３】
そしてトイレットペーパーロール１の使用が進んでトイレットペーパーロール１の径が小さくなると、トイレットペーパーロール１は軸棒２の傾斜に従って鍔５側へとスライドし、トイレットペーパーロール１ｂの側面部は凹み部１１内に入り込む。するとトイレットペーパーロール１の側面の外周端縁が図４（ｄ）のＬのように凹み部１１の表面の鍔摩擦面６に接することになる。トイレットペーパー１ａをトイレットペーパーロール１から切り離す時には、トイレットペーパー１ａの先端部を掴んだ手をトイレットペーパーロール１の外周に沿って周回させて、手の周りにトイレットペーパーロール１ａを巻き付けた状態で鉛直下方へ強く引く操作を行なうことになるが、トイレットペーパーロール１は傾斜している軸棒２の傾斜によって鍔５の側に押し付けられるため、トイレットペーパーロール１の側面の外周端縁が鍔摩擦面６に強く接することになり、鍔摩擦面６とトイレットペーパーロール１の側面との間に摩擦力が大きく発生する。このため、軸棒２の回りをトイレットペーパーロール１が回転する運動に対してこの摩擦力が制動力として作用し、トイレットペーパー１ａを強く下方へ引く操作で、回転が制動されているトイレットペーパーロール１からトイレットペーパー１ａを切断することができるものである。
【００７４】
トイレットペーパーロール１の使用がさらに進んでトイレットペーパーロール１の径がさらに小さくなると、図４（ｄ）のＭやＮのように、鍔摩擦面６のうち、摩擦力が高くなっている面６ｂ，６ｃにトイレットペーパーロール１の側面の外周端縁が接することになる。トイレットペーパーロール１の径が小さくなると、質量も小さくなるために慣性モーメントが小さくなるが、トイレットペーパーロール１の側面の外周端縁は鍔摩擦面６のうち摩擦力が高い内側の面に接しているために高い摩擦力を受け、慣性モーメントが小さくなることを摩擦力の増大で補って、トイレットペーパーロール１に対して同じような制動力を作用させることができるものである。従って、トイレットペーパーロール１の使用が進んでトイレットペーパーロール１の径が小さくなっても、トイレットペーパー１ａを鉛直下方へ引っ張る操作で支障なくトイレットペーパー１ａの切断を行なうことができるものである。
【００７５】
図５は他の実施の形態を示すものである。凹み部１１を階段状に中心部ほど深くなるように形成してある。階段状の各段は軸棒２の周囲に同心円状に形成されるものであり、凹み部１１に形成される鍔摩擦面６は、外側から内側へと各段６ａ，６ｂ，６ｃの順に摩擦抵抗が大きくなるように形成してある。この実施の形態にあっても、鍔５の外径は未使用状態のトイレットペーパーロール１の外径と同じか若しくは小さいので、トイレットペーパーロール１を使用し始める段階では、図５（ｃ）にＫで示すように、トイレットペーパーロール１の側面は凹み部１１より外側の鍔５の表面に接している。
【００７６】
そしてトイレットペーパーロール１の使用が進んでトイレットペーパーロール１の径が小さくなると、トイレットペーパーロール１は軸棒２の傾斜に従って鍔５側にスライドし、トイレットペーパーロール１の側面部は凹み部１１内に入り込む。するとトイレットペーパーロール１の側面の外周部が図５（ｃ）のＬのように凹み部１１の表面の鍔摩擦面６の段６ａに接することになる。トイレットペーパー１ａをトイレットペーパーロール１から切り離す時には、トイレットペーパー１ａの先端部を掴んだ手をトイレットペーパーロール１の外周に沿って周回させて、手の周りにトイレットペーパーロール１ａを巻き付けた状態で鉛直下方へ強く引く操作を行なうことになるが、トイレットペーパーロール１は傾斜している軸棒２の傾斜によって鍔５の側に押し付けられるため、トイレットペーパーロール１の側面の外周部が鍔摩擦面６に強く接することになり、鍔摩擦面６とトイレットペーパーロール１の側面との間に摩擦力が大きく発生する。このため、軸棒２の回りをトイレットペーパーロール１が回転する運動に対してこの摩擦力が制動力として作用し、トイレットペーパー１ａを強く下方へ引く操作で、回転が制動されているトイレットペーパーロール１からトイレットペーパー１ａを切断することができるものである。特に、凹み部１１は階段状になっているために、トイレットペーパーロール１の側面の外周部は段面となった鍔摩擦面６に対して面接触することになり、トイレットペーパーロール１の側面の外周部と鍔摩擦面６との間に摩擦力が安定して働き、安定した制動力が作用するために、トイレットペーパー１ａを切断する操作を安定して行なうことができるものである。
【００７７】
トイレットペーパーロール１の使用がさらに進んでトイレットペーパーロール１の径がさらに小さくなると、図５（ｃ）のＭやＮのように、鍔摩擦面６のうち、摩擦力が高くなっている段６ｂ，６ｃにトイレットペーパーロール１の側面の外周部が接することになる。トイレットペーパーロール１の径が小さくなると、質量も小さくなるために慣性モーメントが小さくなるが、トイレットペーパーロール１の側面の外周部は鍔摩擦面６のうち摩擦力が高い内周側の段６ｂ，６ｃに接しているために高い摩擦力を受け、慣性モーメントが小さくなることを摩擦力の増大で補って、トイレットペーパーロール１に対して同じような制動力を作用させることができるものである。従って、トイレットペーパーロール１の使用が進んでトイレットペーパーロール１の径が小さくなっても、トイレットペーパー１ａを鉛直下方へ引っ張る操作で支障なくトイレットペーパー１ａの切断を行なうことができるものである。
【００７８】
トイレットペーパーロール１が軸棒２の周りで回転することを制動する制動手段３としては、上記した軸棒２の軸摩擦面４と、鍔５の鍔摩擦面６のいずれか一方で形成するようにしてもよいが、制動手段３として軸棒２の軸摩擦面４と鍔５の鍔摩擦面６の両方を併用してもよい。このように軸棒２の軸摩擦面４と鍔５の鍔摩擦面６を併用することによって、トイレットペーパーロール１に対して高い制動力を作用させることができ、トイレットペーパー１ａの切断がより容易になるものである。
【００７９】
図６は、トイレットペーパーロール１が軸棒２の周りで回転することを制動する制動手段３としてストッパー７を用いた実施の形態の一例を示すものである。ストッパー７は背面側の中央部に軸部３４を設けてシーソー形状に形成されるものであり、一端部に先端ほど細くなる差し込み片１２が背面側へ突出して設けてある。ストッパー７の背面は、軸部３４を頂点とする三角形状に形成してあり、軸部３４を挟んで差し込み片１２側が制動保持面３５、反対側が制動解除面３６として形成してある。このストッパー７は軸棒２の先端に配置されるものであり、軸部３４を通した軸ピン３４ａによって軸棒２の先端面に取り付けてある。従ってストッパー７は、制動解除面３６が軸棒２の先端面に当接する状態と、制動保持面３５が軸棒２の先端面に当接する状態の間で揺動回動されるものである。また制動保持面３５と制動解除面３６にはそれぞれ磁石３７ａ，３８ａが埋め込んで設けてあり、軸棒２の先端面の磁石３７ａ，３８ａと対向する箇所にもそれぞれ磁石３７ｂ，３８ｂが埋め込んで設けてある。このため、ストッパー７を回動させて図６（ａ）のように制動解除面３６を軸棒２の先端面に当接させると、磁石３８ａ，３８ｂが磁着してストッパー７をこのように回動させた状態に保持することができ、またストッパー７を回動して図６（ｂ）のように制動保持面３５を軸棒２の先端面に当接させると、磁石３７ａ，３７ｂが磁着してストッパー７をこのように回動させた状態に保持することができるものである。
【００８０】
ここで、制動解除面３６が軸棒２の先端面に当接するようにストッパー７を回動させた図６（ａ）の状態では、ストッパー７の差し込み片１２と反対側の端部は軸棒２の外周面より突出しないようにしてあり、また差し込み片１２は軸棒２の外周よりも突出するが、軸棒２に被挿されるトイレットペーパーロール１の内径から軸棒２の外径を引いた寸法以上には突出しないように、ストッパー７の寸法を形成してある。従って、ストッパー７を回動させて図６（ａ）のように制動解除面３６を軸棒２の先端面に当接させた状態で、軸棒２にトイレットペーパーロール１の内周を被挿することによって、軸棒２にトイレットペーパーロール１をセットすることができるものである。尚、図６（ａ）において、３９はトイレットペーパーロール１の内周に設けられている厚紙の軸筒である。
【００８１】
そして上記と同様に、トイレットペーパー１ａの先端部を片手で掴み、この手をトイレットペーパー１ａがトイレットペーパーロール１に巻き付けられている方向と同方向にトイレットペーパーロール１の外周に沿って周回させると、トイレットペーパーロール１が軸棒２の周りに回転してトイレットペーパー１ａがトイレットペーパーロール１から引き出されると共に、この引き出されたトイレットペーパー１ａは手の周りに巻き付けられる。次に、トイレットペーパー１ａを巻き付けたこの手で、例えばこの手の親指でストッパー７の差し込み片１２の側の端部を押すと、ストッパー７は軸部３４を中心に揺動して制動保持面３５が軸棒２の先端面に当接する状態になる。すると図６（ｂ）に示すようにストッパー７の差し込み片１２が軸棒２の外周とトイレットペーパーロール１の内周との間に差し込まれ、差し込み片１２がトイレットペーパーロール１の内周に食い込んで圧接されることになり、トイレットペーパーロール１が軸棒２の周りを回転することができないように制動力を作用させることができる。このようにトイレットペーパーロール１が回転できないように固定できるので、この状態でトイレットペーパー１ａを引っ張ることによって、トイレットペーパー１ａを破ってトイレットペーパーロール１から切り離して、使用に供することができるものである。
【００８２】
図７は、制動手段３としてストッパー７を用いた実施の形態の他の一例を示すものであり、このものでは、図６のストッパー７における差し込み片１２に代えて押え片１３を形成するようにしてあり、その他の構成は図６のものとほぼ同じである。この押え片１３は、制動保持面３５を延長して形成されるものである。ここで、制動解除面３６が軸棒２の先端面に当接するようにストッパー７を回動させた状態では、ストッパー７の押え片１３と反対側の端部は軸棒２の外周面より突出しないようにしてあり、また押え片１３は軸棒２の外周よりも突出するが、軸棒２に被挿されるトイレットペーパーロール１の内径から軸棒２の外径を引いた寸法以上には突出しないように、ストッパー７の寸法を形成してある。従って、ストッパー７を回動させて図７（ａ）のように制動解除面３６を軸棒２の先端面に当接させた状態で、軸棒２にトイレットペーパーロール１の内周を被挿することによって、軸棒２にトイレットペーパーロール１をセットすることができるものである。
【００８３】
そして上記と同様に、トイレットペーパー１ａの先端部を掴んだ片手をトイレットペーパーロール１の外周に沿って周回させて、トイレットペーパー１ａを手の周りに巻き付け、次にトイレットペーパー１ａを巻き付けたこの手で、例えばこの手の親指でストッパー７の押え片１３の側の端部を押すと、ストッパー７は軸部３４を中心に揺動して制動保持面３５が軸棒２の先端面に当接する状態になる。すると図７（ｂ）に示すようにストッパー７の押え片１３がトイレットペーパーロール１の側面に圧接することになり、トイレットペーパーロール１が軸棒２の周りを回転することができないように制動力を作用させることができる。このようにトイレットペーパーロール１が回転できないように固定した状態で、トイレットペーパー１ａを引っ張ることによって、トイレットペーパー１ａを破ってトイレットペーパーロール１から切り離して、使用に供することができるものである。この図７の実施の形態の場合、トイレットペーパーロール１のロール幅寸法よりも、軸棒２の軸方向の長さを若干短めに形成するのが望ましい。
【００８４】
図８は、制動手段３としてストッパー７を用いた実施の形態のさらに他の一例を示すものであり、ストッパー７を軸棒２の外周部に設けるようにしてある。軸棒２内は中空に形成してあり、軸棒２の外周下面に軸方向に長いスリット状の出入り口４１が開口して設けてある。ストッパー７は細長い板状に形成してあり、この出入り口４１に配置してある。ストッパー７の上面にはレール４２が設けてあり、レール４２に一対のスライダー４３，４３がスライド自在に取り付けてある。また軸棒２内の天井面には一対のレール４４が取り付けてあり、各レール４４にはそれぞれスライダー４５，４５が取り付けある。また軸棒２内には軸４６でＸ字状に枢着した一対のリンク４７，４７が配置してあり、各リンクの４７の上端は軸棒２内の天井面の各レール４４のスライダー４５に回動自在に枢支連結してあると共に、各リンク４７の下端はストッパー７のレール４２の一対のスライダー４３にそれぞれ枢支連結してある。従ってストッパー７はこのリンク４７によって軸棒２の天井面から吊り下げられた状態で、出入り口４１から出入り自在に軸棒２に取り付けられるものであり、軸棒２の天井面とリンク４７の軸４６の間に取り付けたばね４８で引き上げる方向に付勢してある。また、軸棒２内には、電源ユニット４９とソレノイド５０が設けてあり、軸棒２の先端面に電源ユニット４９及びソレノイド５０に電気的に接続されたタイマー付のスイッチ５１が設けてある。そして軸棒２内に軸５２によって回動自在に取り付けられたカム５３の一端部がリンク４７の軸４６に枢支連結してあり、このカム５３の他端部にソレノイド５０に設けられたアクチュエータ５４の先端が軸５５で枢支連結してある。
【００８５】
通常の状態においては、ストッパー７は軸棒２の出入り口４１の中に配置されており、軸棒２の外周から大きく突出しない状態に保持されている。この状態で軸棒２にトイレットペーパーロール１の内周を被挿することで、軸棒２にトイレットペーパーロール１をセットすることができる。そして上記と同様に、トイレットペーパー１ａの先端部を掴んだ片手をトイレットペーパーロール１の外周に沿って周回させて、トイレットペーパー１ａを手の周りに巻き付け、次にトイレットペーパー１ａを巻き付けたこの手で、例えばこの手の親指で軸棒２の先端のスイッチ５１を押すと、ソレノイド５０が作動してアクチュエータ５４がソレノイド５０から突出し、アクチュエータ５４のこの動き（矢印参照）でカム５３が軸５２を中心に下方へ回動する（矢印参照）。カム５３がこのように回動すると、ばね４８に抗してリンク４７の軸４６を押し下げる力が作用することになり、リンク４７の各上端に枢着したスライダー４５がレール４４に沿ってスライドすると共に、リンク４７の各下端に枢着したスライダー４３がレール４２に沿ってスライドすることで、一対のリンク４７は下方へ延ばされるように回動し、これによってストッパー７は出入り口４１から軸棒２の外方へ突出する（矢印参照）。このように突出するストッパー７がトイレットペーパーロール１の内周に食い込んで圧接することによって、トイレットペーパーロール１が軸棒２の周りを回転することができないように制動力を作用させることができるものであり、トイレットペーパーロール１が回転できないように固定した状態で、トイレットペーパー１ａを引っ張ることによって、トイレットペーパー１ａを破ってトイレットペーパーロール１から切り離して、使用に供することができるものである。スイッチ５１にはタイマー内蔵されているので、所定時間が経過すると、ソレノイド５０の作動は停止し、ばね４８の弾発力でストッパー７は元の位置まで引き上げられる。
【００８６】
制動手段３として、軸棒２に軸摩擦面４を設けた実施の形態や、鍔５に鍔摩擦面６を設けた実施の形態では、摩擦力でトイレットペーパーロール１の回転を制動するため、トイレットペーパー１ａを切断するためにはトイレットペーパー１ａを鉛直下方へ素早く強く引引っ張ることが必要であり、体を自由に動かせない人には難しい場合がある。一方、ストッパー７を用いる実施の形態では、トイレットペーパーロール１はストッパー７で押え付けられていて回転できない状態にあるので、トイレットペーパー１ａをゆっくり引いても破ることができるものであり、しかもトイレットペーパー１ａを引っ張る方向が鉛直下方に制限されないものであり、体を自由に動かせない人であっても支障なく使用することができるものである。尚、制動手段３として、ストッパー７を単独で用いる他、軸棒２に軸摩擦面４を設けて形成した制動手段３や、鍔５に鍔摩擦面６を設けて形成した制動手段３を併用してもよい。
【符号の説明】
【００８７】
１  トイレットペーパーロール
２  軸棒
３  制動手段
４  軸摩擦面
５  鍔
６  鍔摩擦面
７  ストッパー
８  縦調整具
９  横調整具
１０  樹脂系塗材
１１  凹み部
１２  差し込み片
１３  押え片
【図１】
0005977380.tif 000002
【図２】
0005977380.tif 000003
【図３】
0005977380.tif 000004
【図４】
0005977380.tif 000005
【図５】
0005977380.tif 000006
【図６】
0005977380.tif 000007
【図７】
0005977380.tif 000008
【図８】
0005977380.tif 000009
【図９】
0005977380.tif 000010